(57)【要約】本通信システムは、無線メッセージ送信が可能な少なくとも１つの携帯装置（１４）と、斯様なメッセージ送信を受信することができる少なくとも１つの他の装置（１０）とを有する。上記携帯装置は、一連の問い合わせメッセージを、各々、通信プロトコル（例えば、ブルートゥース）に従い配列された複数の所定のデータフィールドの形態で放送するように構成されると共に、送信に先立ち各メッセージ（図３）に、当該携帯装置のユーザに関する個人的データを伝送する追加のデータフィールドを付加するように構成される一方、上記他の装置（１０）は、上記追加のデータを受信し、これに応じて少なくとも１つの動作パラメータ（Ｂ）を変化させる。該システムは、環境又はローカルな装置が、ユーザの携帯電話等からの単純で、周期的で、ローカルに放送されるオーラに対して自動的に応答するのを可能にする。
2004514323.tif 000002
【特許請求の範囲】
【請求項１】
無線メッセージ送信が可能な少なくとも１つの携帯装置と、斯様なメッセージ送信を受信することができる少なくとも１つの第２装置とを有する通信システムにおいて、
前記少なくとも１つの携帯装置は、一連の問い合わせメッセージを、各々、第１通信プロトコルに従い配列された複数の所定のデータフィールドの形態で放送するように構成され、前記少なくとも１つの携帯装置は、更に、送信に先立ち前記各問い合わせメッセージに、当該携帯装置のユーザに関する個人的データを伝送する追加のデータフィールドを付加するように構成され、前記少なくとも１つの第２装置は、前記送信された問い合わせメッセージを受信し、前記追加のデータフィールドからデータを読み取り、且つ、該読み取られたデータに応答して少なくとも１つの動作パラメータを変化させるように構成されていることを特徴とする通信システム。
【請求項２】
請求項１に記載のシステムにおいて、前記伝送される個人的データが、当該ユーザの素性の直接的な識別を除外することを特徴とするシステム。
【請求項３】
請求項１又は請求項２に記載のシステムにおいて、前記個人的データが当該ユーザの別名を含み、前記少なくとも１つの第２装置が、受信された個人データの記録を前記別名に関連させて維持するように構成された記憶手段を含んでいることを特徴とするシステム。
【請求項４】
請求項３に記載のシステムにおいて、前記少なくとも１つの携帯装置は、当該ユーザが操作によって前記別名を設定することができるようなユーザ操作可能な入力手段を含んでいることを特徴とするシステム。
【請求項５】
請求項３又は請求項４に記載のシステムにおいて、前記少なくとも１つの第２装置は、維持された記録が存在するような別名を受信メッセージ内で検出した際に、前記少なくとも１つの動作パラメータを前記記録における前記個人的データに少なくとも部分的に応じて変化させるように構成されていることを特徴とするシステム。
【請求項６】
請求項１ないし５の何れか一項に記載のシステムにおいて、前記少なくとも１つの携帯装置は、前記追加のデータフィールドを対応する問い合わせメッセージの終端部に付加するように構成されていることを特徴とするシステム。
【請求項７】
請求項１ないし６の何れか一項に記載のシステムにおいて、前記少なくとも１つの携帯装置は、前記所定のデータフィールドのうちの１つに、前記追加のデータフィールドの存在を示すような指示子を含めるように構成されていることを特徴とするシステム。
【請求項８】
請求項１ないし７の何れか一項に記載のシステムにおいて、前記第１通信プロトコルがブルートゥースメッセージ通信を有することを特徴とするシステム。
【請求項９】
請求項１ないし８の何れか一項に記載のシステムにおいて、前記少なくとも１つの携帯装置が、更に、前記ユーザの個人的データを前記携帯装置のユーザのユーザプロファイリングから発生する手段を有していることを特徴とするシステム。
【請求項１０】
請求項１ないし９の何れか一項に記載のシステムにおける前記携帯装置として使用する移動体通信装置において、
該装置は、無線メッセージ送信が可能であると共に、一連の問い合わせメッセージを、各々、第１通信プロトコルに従い配列された複数の所定のデータフィールドの形態で放送し、且つ、送信に先立ち前記各問い合わせメッセージに前記追加のデータフィールドを付加するように構成された通信要素を有していることを特徴とする移動体通信装置。
【請求項１１】
請求項１ないし９の何れか一項に記載のシステムにおける前記第２装置として使用する通信装置において、
該装置は、第１通信プロトコルに従う複数のデータフィールドを含むような短距離無線問い合わせメッセージを受信することができる受信器と、前記複数のデータフィールドに追加のデータフィールドが付加されている場合を検出する手段と、斯様な追加のデータフィールドからデータを読み取ると共に該読み取られたデータに応答して当該通信装置の少なくとも１つの動作パラメータを変化させるように構成された手段とを有していることを特徴とする通信装置。
【請求項１２】
請求項１１に記載の装置において、前記受信器がブルートゥースプロトコルに従うメッセージを受信するように構成されていることを特徴とする装置。
【請求項１３】
携帯通信装置のユーザが他の通信装置に対して制御メッセージを放送するのを可能にする方法において、
前記携帯通信装置は一連の問い合わせメッセージを、各々、第１通信プロトコルに従い配列された複数の所定のデータフィールドの形態で放送し、前記携帯通信装置は送信に先立ち前記各問い合わせメッセージに当該携帯通信装置のユーザに関する個人的データを伝送する追加のデータフィールドを、適切に構成された他の通信装置が前記送信された問い合わせメッセージを受信し、前記追加のデータフィールドから前記個人的データを読み取り、且つ、該データに応答して当該他の通信装置の少なくとも１つの動作パラメータを変化させることができるように、付加することを特徴とする方法。
【発明の詳細な説明】
【０００１】
【発明の属する技術分野】
本発明は、専らではないが特には携帯電話、適切に装備されたＰＤＡ（パーソナルデジタルアシスト）及びラップトップコンピュータ等の移動体通信装置のユーザのような、電子機器のユーザに提供されるサービスに関する。本発明は、更に、このようなサービスの配信に使用する手段、及び斯かるサービスを受信する装置にも関する。
【０００２】
【従来の技術】
近年、世界的に移動体電話ネットワークに対する加入者の著しい増加が見られ、技術の進歩及び機能の追加によりセルラフォンは個人用の信頼される装置となった。この結果、移動体情報社会は発展しつつあり、個人化され且つ地域化されたサービスが益々重要となってきている。このような“コンテキストアウェア（ＣＡ）”な移動体電話はショッピングモール等の場所における低出力、短距離基地局を用いて使用され、地域固有の情報を提供する。このような情報は、地域マップ並びに最寄りの商店及びレストラン等についての情報を含むことができる。ユーザのＣＡ端末は、受信された情報を予め記憶されたユーザの好みに従ってフィルタ処理するように構成され、該ユーザは特に興味のあるデータ項目が受信された場合にのみ警告される。
【０００３】
ＣＡ端末の一例が米国特許第５，８３５，８６１号に示されており、該特許は宣伝看板の関連内での無線電話の使用を開示している。無線電話のユーザは、自身の無線電話を能動宣伝源に対してプロンプト信号を送信し、該宣伝源から宣伝販売者の電話番号を含むような応答信号を受信するように作動させることによって、該販売者の電話番号を得る。次いで、該電話番号は、公衆交換電話網を介して上記販売者に自動的に発呼するように使用することができる。他の例として、上記電話番号は後に使用するために記憶することもできる。この構成は、電話番号を記憶し又は書き留める必要性無しに販売者に発呼するために使用することができる。上記看板と発呼者との間の信号は、変調された赤外線（ＩＲ）信号として伝送することができる。
【０００４】
ＣＡシステムに関して提案されている多くのサービス及びアプリケーションは、当該移動体端末が無線ネットワークに繋がることを要さない真の放送モードから利益が得られる。ＭＩＴの媒体研究所は、ｉ．ｒ．範囲内及び視野内にある場合に装着者が簡単なテキストメッセージ又は引用文を交換することを可能にするような“メメバッジ（ｍｅｍｅ ｂａｄｇｅ）”即ち“思考タグ（Ｔｈｉｎｋｉｎｇ Ｔａｇ）”を考案した。“ホットバッジ（ｈｏｔ ｂａｄｇｅ）”等の他の類似の概念が、例えばフィリップス・デザインにより１９９６年の“未来のビジョン”（ｈｔｔｐ：／／ｗｗｗ．ｄｅｓｉｇｎ．ｐｈｉｌｉｐｓ．ｃｏｍ／ｖｏｆ／）により公開されており、ここでは、個人的装置がユーザに関するプロフィール情報をローカルな領域に放送し、他の近隣の参加者により受信されて、個人的な整合を相関付けさせる。加えて、短距離のｒ．ｆ．装置（“ラブゲッティ（Ｌｏｖｅｇｅｔｙ）”）が１９９８年に日本において十代の間での“盲デート”を容易にするものとして熱狂的流行となった。ラブゲッティのユーザは、３つの事前割り当てされた信号のうちの１つを設定し、範囲内に他のラブゲッティの所有者が居たとすると、可聴的及び視覚的に警告され、該警告は出会うユーザが共に同一の設定（例えば、デートを探していることに対応し得る）を選択している場合に異なるようになっている。
【０００５】
保安分野では、例えばスマート赤外線（ｉ．ｒ．）又は無線周波数（ｒ．ｆ．）キーが機密領域にアクセスし又は建物内に誰がいるかを追跡するのを可能にするというような、識別に対する多くの特注設計された解決策が存在する。プリンストン大学は、主に学生を保護するために設計された電子保安システムを有している（１９９８年１１月１２日のニューヨークタイムス、Ｅ１−８の“閉鎖扉方針”参照）。このシステムは、学生のカード送受信器から近傍のカード読取器へアイデンティティ情報を伝送するために無線信号を使用している。次いで、このデータは中央の大学のコンピュータに供給され、該コンピュータは宿舎及び研究所等を介しての全ての学生の動きの３週間の経過記録を保持する。
【０００６】
オフィス設計においては、人体の熱を感知して人の存在／不存在を判断し、それに応じて照明を制御して電力を節約するために、しばしば、赤外線検出器が使用されるが、存在する人の照明の好みを自動的に感知するようなことはしない。
【０００７】
ＣＡの用途に関して提案される多くのサービス及びアプリケーションは、当該移動体端末が無線ネットワークに繋がる必要がないような真の放送モードから利点を得る。ブルートゥース仕様、コアバージョン１．０は、このような動作モードを本来サポートしていないが、これをベースバンド仕様に追加するという可能性のある手段が共有国際特許出願第ＥＰ０１／０６９４８号（ＰＨＧＢ００００８４）に提案されている。このメカニズムによれば、６４Ｋバイト（総量で）までの放送情報を典型的なブルートゥース問い合わせフェーズの１０．２４秒の間に伝送することができると予測することができる。この情報は、ピコネットのメンバであるか否かに拘わらず、該情報を受信することができる全てのブルートゥース（ＢＴ）端末にとって自由に利用可能である。ＣＡアプリケーションに関しては、この放送モードの主要な用途は、より完全な情報に対するリンクを提供するような固定ビーコンからの情報キーの配信である。
【０００８】
ブルートゥースを介しての無接続放送に関しては、共有国際特許出願第ＥＰ０１／０６９４１号（ＰＨＧＢ０００１１０）に記載されているような、特に個人情報の個人対個人の交換を容易化する所謂ホットバッジに対する利用等の他のアプリケーションも予測されている。
【０００９】
近傍における人の存在に自動的に気付き、これら人の個々の要求又は望みを予想し、それに応じて応答することにより、明示的な又は意識したユーザの制御無しで適応化するような環境又は装置を作製する目標は、多年にわたるものであった。ｈｔｔｐ：／／ｗｗｗ．ｃｏｏｌｔｏｗｎ．ｈｐ．ｃｏｍ／ｄｅｖに記載されたヒューレットパッカード社の“クールタウン”シナリオは、ｉ．ｒ．又はｒ．ｆ．ビーコン技術を用いた同様の適応的環境を描いている。現在までのところ、プライバシの侵害に対して公開とならないような、全ての人が斯様な利益を体験することができるような安価ではあるが効率的な方法を見付けるのは困難であった。
【００１０】
前述した保安システムは、人の位置に関する情報を提供し、これら人の要求又は興味の個人的プロフィールのデータベースへリンクし、これら人のローカルな環境又は装置を調和状態に編成するために使用することができる。しかしながら、当然のように、斯様な集中化された追跡システムは著しいプライバシの問題を生じる。更に、移動記録の集中データベースの存在は、元々の保安の問題に含まれないような法廷事件に関係するデータに対する召喚行為を招来する。このような理由により、多くの施設は記録保持の時間長を制限している。
【００１１】
保安システムに使用される特注ｉ．ｒ．又はｒ．ｆ．装置は、市場への浸透においても限界がある一方、移動体電話（及び、少ない程度ではあるが、ＰＤＡ及びラップトップ）は、急速に、一日中携行する普及した個人用装置となりつつある。ブルートゥースは斯様な携帯装置における共通の技術になることが予測される。普通に利用可能な移動体電話を利用すると共に、一連のプライバシ設定を可能にするような応答的環境又は“周囲知性（ａｍｂｉｅｎｔ ｉｎｔｅｌｌｉｇｅｎｃｅ）”と同等のものを実施化する方法は、従って高い可能性を有している。
【００１２】
ユーザから環境へ接続するための１つの可能性のある解決策は、双方向ブルートゥース接続を確立する完全な現ブルートゥースｖ１．０ｂハンドシェーキング処理を介してのものである。この処理は、斯様なサービスを選択する同意ユーザにより携行される移動体と、当該場所における装置との間の自動的データ交換を可能にする。これは、ユーザの移動体から当該環境への素性（アイデンティティ）及びオプション的な個人的情報の伝送を帯びる。しかしながら、先に参照した出願第ＥＰ０１／０６９４８号（ＰＨＧＢ００００８４）に記載されているように、移動体ユニットが固定ビーコンに出会う状況においては、現ブルートゥースｖ１．０ｂ接続プロトコルは：・データを交換することができようになる前の、接続を確立するための時間（１０ないし３０秒、該時間により当該出会っている当事者がｒ．ｆ．範囲外となる可能性がある）、
・聞き手装置がネットワーク接続を確立するための、ハンドシェーキング伝送のための電力消費、
・放送側装置によりアドレス指定することが可能な活性聞き手装置の数に対する制限（ピコネット当たり７個つの活性）、
・当該装置のｉｄがネットワーク接続の確立の過程において相手側により知られるようになるので、聞き手装置又は放送側装置の何れかによるプライバシの喪失。例えば、ＰＣ上でのブルートゥース装置発見処理に関する現開発物は当該ＰＣに対して発見された所有物移動体電話のブルートゥース装置ｉｄを配信するのみならず、該電話の所有者の名前も返送する。多くの時宜的状況において、ユーザは、自身のアイデンティティ及び場所を匿名及び秘密のままにすることを欲するものである。従って、この短距離の送受信器の識別子の交換は、識別、認証又は相互作用の安全性の高度の秘密レベルが必要とされるアプリケーションにとっては重大な欠点になり得る、
等の欠点を有している。人の存在に対して個人的な態様で自動的に応答する環境又は装置を作製する可能性のある２つの代替案は：
直接的：装置、システム又は環境的インフラストラクチャが、近傍における人の存在、素性又は移動を、人により携行されるバッジ、タグ若しくは同様の装置を感知することにより、生物測定、声紋、カメラ及び画像解析の使用により、又は他の明示的な手動の識別技術（例えば、指紋若しくは瞳認識）の使用を介して追跡する。
間接的：人が、近傍位置のビーコンにポーリングする短距離ネットワーク化技術を使用することができるようなセンサを携行する、又は現位置を見付けるためのＧＰＳの如き他の位置特定技術を利用するような装置を携行する。この場合、人の素性及び個人的情報は、多分、ユーザの素性を隠す中間システムにより変換又は他の処理の後に、ローカルな応答性装置、システム又は環境に送信して戻され、かくして、これらは近傍にいる上記人に適応することができる。
【００１３】
上記直接的方法は、システムが人の移動を追跡する場合、立ち入った監視に関する多くの合法性の問題を提起する。従って、上記間接的な方法が好ましいが、依然として、ユーザの位置及び個人的情報が、多分媒介を介して、当該システムに伝達されることの秘密性へのユーザの信頼に依存している。例えば、インターネットを使用する転送処理はユーザの装置又はウェブブラウザへの‘クーキ’のインストールを含む可能性があるが、斯かる装置又はブラウザはユーザを識別し又はユーザの活動を捕捉し得るような装置データを当該システムに返送する可能性がある。由来者に辿り着くことができるようなデータを伴わずにシステムにユーザの好みを自動的に伝達する技術は、普通ではない。上記間接的方法は、例えば移動体装置からウェブサイトへ、更にローカルシステムへとデータを伝達する遅延時間のような、間接処理の効率の点でも問題を被る。
【００１４】
【発明が解決しようとする課題】
従って、本発明の目的は、携帯装置により装置又はシステムを遠隔制御又は設定する一方、ユーザに関する向上した安全性及びプライバシを提供するようなシステムを提供することにある。
【００１５】
【課題を解決するための手段】
本発明によれば、無線メッセージ送信が可能な少なくとも１つの携帯装置と、斯様なメッセージ送信を受信することができる少なくとも１つの第２装置とを有する通信システムであって、前記少なくとも１つの携帯装置は、一連の問い合わせメッセージを、各々、第１通信プロトコルに従い配列された複数の所定のデータフィールドの形態で放送するように構成され、前記少なくとも１つの携帯装置は、更に、送信に先立ち前記各問い合わせメッセージに、当該携帯装置のユーザに関する個人的データを伝送する追加のデータフィールドを付加するように構成され、前記少なくとも１つの第２装置は、前記送信された問い合わせメッセージを受信し、前記追加のデータフィールドからデータを読み取り、且つ、該読み取られたデータに応答して少なくとも１つの動作パラメータを変化させるように構成されているような通信システムが提供される。
【００１６】
上記第２装置の動作を、伝送される個人的データ（好ましくは、ユーザの素性に関する直接的識別は除外する）に基づいて制御することにより、制御が改善される。
【００１７】
前記個人的データは当該ユーザの別名を含むことができ、前記少なくとも１つの第２装置は、受信された個人データの記録を該別名に関連させて維持するように構成された記憶手段を含むことができる。斯様な構成においては、前記少なくとも１つの携帯装置は、当該ユーザが操作によって前記別名を設定することができるようなユーザ操作可能な入力手段を含むことができ、前記少なくとも１つの第２装置は、維持された記録が存在するような別名を受信メッセージ内で検出した際に、前記少なくとも１つの動作パラメータを前記記録における前記個人的データに少なくとも部分的に応じて変化させるように構成することができる。
【００１８】
また、本発明によれば、上述したようなシステムにおける前記携帯装置として使用する移動体通信装置であって、該装置が、無線メッセージ送信が可能であると共に、一連の問い合わせメッセージを、各々、第１通信プロトコルに従い配列された複数の所定のデータフィールドの形態で放送し、且つ、送信に先立ち前記各問い合わせメッセージに前記追加のデータフィールドを付加するように構成された通信要素を有するような移動体通信装置が提供される。
【００１９】
更に、本発明によれば、上述したようなシステムにおける前記第２装置として使用する通信装置であって、該装置が、第１通信プロトコルに従う複数のデータフィールドを含むような短距離無線問い合わせメッセージを受信することができる受信器と、前記複数のデータフィールドに追加のデータフィールドが付加されている場合を検出する手段と、斯様な追加のデータフィールドからデータを読み取ると共に該読み取られたデータに応答して当該通信装置の少なくとも１つの動作パラメータを変化させるように構成された手段とを有するような通信装置が提供される。
【００２０】
更に、本発明によれば、携帯通信装置のユーザが他の通信装置に対して制御メッセージを放送するのを可能にする方法であって、前記携帯通信装置が一連の問い合わせメッセージを、各々、第１通信プロトコルに従い配列された複数の所定のデータフィールドの形態で放送し、前記携帯装置が送信に先立ち前記各問い合わせメッセージに当該携帯装置のユーザに関する個人的データを伝送する追加のデータフィールドを、適切に構成された他の通信装置が前記送信された問い合わせメッセージを受信し、前記追加のデータフィールドから前記個人的データを読み取り、且つ、該データに応答して当該他の通信装置の少なくとも１つの動作パラメータを変化させることができるように、付加するような方法が提供される。
【００２１】
本発明の追加のフィーチャは、参照すべき添付請求項に記載されており、該請求項の開示内容は参照することにより本明細書に組み込まれるものとする。
【００２２】
本発明の更なるフィーチャ及び利点は、例示としてのみ添付図面を参照して示される本発明の好ましい実施例の下記説明を精読することから明らかとなるであろう。
【００２３】
【発明の実施の形態】
以下の説明においては、携帯装置（電話、ＰＤＡ又はその他）から固定装置への、又は１つの携帯装置から他の携帯装置へのメッセージの通信用にブルートゥースプロトコルを使用するようなＣＡアプリケーションを特に考察する。認識されるであろうように、問い合わせ手順の一部として放送チャンネルを含むような広い発明思想はブルートゥース装置に限定されるものではなく、ブルートゥースのような周波数ホッピングシステム又はライト（Ｌｉｔｅ）のような直接拡散式（Ｄｉｒｅｃｔ Ｓｅｑｕｅｎｃｅ）スペクトル拡散システムに拘わらず、汎用無線リンク用プロトコル（Ｐｒｏｔｏｃｏｌ ｆｏｒ Ｕｎｉｖｅｒｓａｌ Ｒａｄｉｏ Ｌｉｎｋｓ：ＰＵＲＬ）をサポートする他の通信構成にも適用可能である。
【００２４】
図１は、本発明の動作構成要素を概念的に示し、固定された（又は少なくとも概ね静的な）装置１０は各々値１、０、０、１なる４つの可変パラメータ設定Ａ、Ｂ、Ｃ、Ｄで以って動作している。装置１０は、無線メッセージを（アンテナ１２を介して）受信するように構成されている。携帯通信装置１４は、メッセージを所定のプロトコル（後述する）に従いフォーマットすると共に、これらメッセージを如何なる適切に装備された受信器によっても受信されるべく放送するように構成された送信器（図示略）を含んでいる。
【００２５】
上記携帯装置１４の伝送範囲が、概略、破線１６により示されている。図１Ａにおいて、固定装置１０及び携帯装置１４（Ａ＝１、Ｂ＝１及びＣ＝０なる固定装置に対する好みの動作設定を有している）は接触がなされるには遠くに離れ過ぎている。図１Ｂにおいては、携帯装置１４は固定装置１０の受信範囲内に入っている。携帯装置１４は、自身の好みの動作設定は示すが、自身の素性は示さないようなメッセージを連続的に又は周期的に放送している。斯様なメッセージを受信すると、固定装置１０は上記メッセージで指定されているようにパラメータＢの設定を０から１に変更する。この場合、パラメータＡ及びＣは携帯装置１４により必要とされ又は要求された設定に既になっているので変化されず、パラメータＤは該携帯装置からの上記メッセージでは指定されていない。
【００２６】
本発明の好ましい実施例は、ブルートゥースｖ１．０ｂ及び上述した共有国際特許出願第ＥＰ０１／０６９４８号（ＰＨＧＢ００００８４）の他の通信プロトコルを拡張するために基本的な“問い合わせフェーズを介してのデータ放送”方法を使用し、そこではユーザにより携行される移動体装置が放送者になる。ブルートゥースの筋書き内で、本方法はブルートゥース接続を確立するための完全なブルートゥースハンドシェーキングの制限を解決し、例えば、混雑した場所における如何なる数の聞き手装置も放送側のユーザの移動体装置からの放送データを即座に受信するのを可能にする。非常に重要なことに、本発明に従い、ブルートゥース問い合わせフェーズの間に放送されるＩＤパケットは放送者自身のブルートゥース装置アイデンティティを明らかにせず、かくして、ユーザの匿名性を保存する一方、認証されていないとしても、有効な個人的データを伝送することができる。勿論、望むならば識別子を上記放送パケットに追加することができ、例えばユーザのｉｄをチェックするために、送信されたデータを処理することにより明示的に認証を実行することもできる。しかしながら、多くのもっと寛容な又は余り厳しくない状況においては、完全な匿名性が好まれる可能性がある。時には、繰り返しの存在を追跡するために含まれる“ｊｏｅ”のような永続的なユーザの別名で充分であろう。
【００２７】
問い合わせを介しての放送に関してサイクル当たり約６４Ｋバイトの総伝送レートを予測することができる。当該移動体装置が問い合わせサイクルを連続的に実行する（即ち、ピコネットを確立しないで、放送のみを行う）場合は、結果として５０ｋｂｉｔｓ／ｓの総ビットレートが得られる。このデータレートは、ユーザが、例えばプロフィールデータフォーマット（ＯＰＳ、Ｐ３Ｐ）に関するＷ３Ｃ提案のような規格化されたフォーマットでのＸＭＬ型プロフィール記述を、又は異なる聞き手装置によるフィルタ処理を補助するために分類型式により多分タグ付けされた放送メッセージを周囲に放送するのを容易に可能にする。他の例として、問い合わせフェーズにおけるオーディオ放送に関する共有国際特許出願第ＥＰ０１／０６９４４号（ＰＨＧＢ００００８５）に同様に記載されているように、ユーザ若しくはユーザの興味に関する音楽のオーラ（ｍｕｓｉｃａｌ ａｕｒａ）又は音声ストリームを、ローカルな装置により受信され且つ提示されるべく、ユーザによりローカルに放送することもできる。
【００２８】
聞き手装置１０は入力問い合わせパケット中に放送データが存在することを認識し、これらの型式（即ち、これが移動体ユーザにより放送されたものであること）及び放送されるメディアフォーマットを復号するための情報を抽出する必要がある。斯様な放送形式の受信は、勿論、人の存在（又は、少なくとも斯かる放送を行っている移動体電話が現在近傍に存在すること）を示す。斯様な放送は、異なる人を当該移動体又はその所有者へ辿り着くことが可能な識別子を開示することなく区別するために、擬似乱数（乱数発生器の種は毎日当該移動体上で自動的にリセットされる）を含むことができる。
【００２９】
オプションとして、追加の個人的データも放送することができ、該データには“スポーツへの興味”、“性別”、“音楽の好み”又は“コンピュータプリンタの好み”等の分類によりタグ付けされ、これらは当該ユーザの環境において利用可能な資源若しくは構成オプション、再生装置からローカルに利用可能なビデオ若しくはオーディオコンテンツ等と突き合わすことができる。勿論、これを効果的にするために、個人的な放送データと、ローカルな装置又は環境設定との間で共通の分類方法（多分、ＸＭＬで符号化される）が合意されねばならない。例えば、当該ユーザにとりローカルなセットトップボックス（ＳＴＢ）又はＴＶのような装置上での可視的又は可聴的提示のために選択されるコンテンツは、ユーザの好みと突き合わすことができ、このことは、合意されたコンテンツ分類方法（現在のＩＣＥ規格化作業のような）を必要とする。ここで述べたのと同様の基本的メカニズムを家庭、娯楽、レジャー、仕事又は専門の設定に使用することができる。
【００３０】
問い合わせフェーズに組み込まれたデータを使用するユーザの存在及び好みの間欠的な個人的放送は、例えば確実で、認証され又は広帯域の対話用にピコネットを連結する等の、他のブルートゥース動作を妨害しないように構成することができる。
【００３１】
これらの“環境知性”アプリケーションのためにここで提供される該解決策は、固定ブルートゥースビーコンからの問い合わせフェーズ信号に放送データを埋め込む技術を、ユーザにより携行される移動体装置からの一方向の無接続データ放送を含むように拡張しようとするものである。従って、移動体装置はユーザの周囲に、近傍のｒ．ｆ．又はｉ．ｒ．装置が検出することができるような短距離“オーラ”（図１の範囲１６参照）を形成する。
【００３２】
ブルートゥースを装備するＧＳＭ若しくはＵＭＴＳ又は他のセルラ電話が、このアプリケーションにおける移動体端末にとり好適な実施化プラットフォームである。しかしながら、例えば、可能性のある移動体ブルートゥースプラットフォームとして通常掲載されるＰＤＡ及びラップトップパーソナルコンピュータのような他のプラットフォームも明らかに存在する。
【００３３】
ユーザは、自身の移動体からのローカルな方法のための一連の、多分所定の、データを選択することができる。このデータはｈｔｍｌ符号化された装置制御設定命令、ｕｒｌ、符号化されたグラフィックアイコン、圧縮されたテキストメッセージ、事前録音された音声命令、規格化されたマシン読み取り可能な記述言語における個人的興味又は所望の環境制御命令のリスト等々の形態とすることができる。この場合、斯様な型式の短距離パルスは、当該移動体から当該環境及びユーザの活動にとり重要な待ち時間（例えば、数秒又は数分毎）に依存した間隔で規則的に放送される。
【００３４】
環境又はユーザの近傍における装置内のブルートゥース送受信器のような聞き手装置は、移動体のユーザからの一方向放送データを含むとしてタグ付けされている斯かるブルートゥース問い合わせポーリング信号を検出することができなければならない。この場合、これらの聞き手装置は、上記の入力問い合わせ信号に対してブルートゥース応答を送信することなしに沈黙のまま留まる能力を有していなければならない。次いで、データパケットを含むとしてタグ付けされた入力問い合わせ信号は、聞き手装置による復号を要し、これにより、埋込放送データを抽出、復号及び解釈して、例えばどれだけ多くの移動体が存在するかを、又は新たなユーザの到来をチェックする。上記放送データのコンテンツに伴う追加の特徴又はメタデータ（例えば、ＸＭＬ記述としての）は、次いでオプションとして、当該環境システム自身の設定及びオプションと比較することができる。例えば、新たな訪問者は、より涼しいエアコン設定を好むかも知れない。
【００３５】
ブルートゥースの問い合わせ放送技術を使用することは、ｒ．ｆ．放送の範囲内の如何なる数の装置も、放送ストリームを復号して、ユーザの存在に対して適応的な態様で応答することができることを意味し、完全なブルートゥースネットワーク接続においては生じるかも知れないような、装置の最大数に対しては何らの制限も存在しない。拡張版においては、ローカル装置は自身のオプションの放送版（多分、受信されたデータに応じて修正されて）をエコーすることができ、移動体は更に一層詳細な好みを自動的に放送し戻すことができる。
【００３６】
ブルートゥースを装備する移動体は１つの無線しか有さないので、問い合わせデータを放送しているか又は聴取しているかの何れではあり得るが、両者を同時に行うことはできない。更に、２つの移動体が、偶然、受信／送信で同期されていたとすると（例えば、両者が共に受信した環境からの外部トリガにより）、これら移動体が同時に放送を試みることがあり得る。この問題に対する解決策は、移動体を交互に放送し及び聴取するモードに入れ、斯かるサイクルの開始時間を各移動体上で擬似ランダムに選択することができるように構成することである。
【００３７】
このようなアプリケーション用の簡略化されたデータの流れが図２に示され、送信側携帯装置１４のマイクロフォン１００から開始して、起動段１０２、プロフィールファセット選択段１０３及びコーデック１０４を介して放送端末１０６に至る。アンテナ１０８から、メッセージ６０はアンテナ１１０を介して受信側装置１０の聞き手端末１１２に進む。該聞き手端末１１２から、オーディオメッセージはコーデック１１４、インタプリタ及び装置ルーチング段１１５、及びデジタル／アナログ変換器１１６を介して、スピーカ１１８に進む。表示用のデータメッセージは、コーデック１１４の出力端から表示装置１２０へと経路がとられる。他の形態のメッセージは、ルーチング段１１５により環境コントローラ１３０、ウェブブラウザ１３２又は他のローカル装置１３４へと経路をとることができる。各々の側において、メッセージ／プロフィールデータ及び他の関係情報をローカルに記憶するためにデータ記憶部１２２及び１２４を使用することができる。
【００３８】
インタプリタ及び装置ルータ１１５は、例えば擬似ランダムな放送者のアイデンティティ番号をチェックし、これが新たな移動体であるか又は既に存在するものであるかを判断する作業を実行する。また、該インタプリタ及び装置ルータ１１５は、多くの可能性のあるローカル装置のうちの何れが個人的好み及び事前構成要件に応じることができるかを判定し、コンテンツ選択処理を開始し、放送された個人的好みをローカルに利用可能なネットワーク装置の制御設定に関して解釈し、及び制御命令又はデータの機器、装置への経路決めをする等々を行う。
【００３９】
移動体処理におけるプロフィールファセット選択段１０３は、主にユーザにより（例えば、ハンドセットの操作により明示的に、又はユーザの暦若しくは移動体ポータル１０７を介して間接的に）設定される。該段は、パルス化された個人的放送に何が含まれるか、及びこれらの“オーラ”の放送がどの位頻繁になされるかを制御する。該段は、例えば“ｊｏｅ”のような別名を放送し、又は更に例えばユーザの現在の移動体ポータル構成から自動的に決定されるような該ユーザの現在のニュースの興味を放送するように設定することができる。ユーザが、当該ハンドセットが環境からの短距離放送トリガを感知するのを可能にさせるように構成することもできる。この環境のトリガは、近傍における全ての移動体装置からの、これら装置のユーザの個人的プロフィールから特定のファセット（例えば、仕事の興味、音楽の好み等）についてのエコーを要求する。この環境の要求と移動体の応答との間の対話は、当該ブルートゥース問い合わせフェーズにおける放送情報の埋め込み方法を用いてデュープレックス態様でサポートすることができる。
【００４０】
この方法に関しては、事前設定命令の活性化、標準メッセージ、ウェブブラウザ用のテキストサーチストリングを含む多くの可能性のある変形例が存在する。他の構成も可能である。
【００４１】
図１及び図３も参照すると、放送側端末において、放送データは空中に送出される前にパケット化されねばならない。前述した国際特許出願第ＥＰ０１／０６９４８号（ＰＨＧＢ００００８４）には、提案された放送フィールドが１０．２４秒にわたる問い合わせサイクル中に６４Ｋバイトまでのユーザ情報を伝送することができることが示されている。前述したように、このデータを便乗させようとする問い合わせメッセージはＣＡアプリケーション固有のＤＩＡＣ（専用問い合わせアクセスコード）を使用するであろうから、受信器（ＣＡアプリケーション又はそれ以外）は斯かる問い合わせメッセージに対して通常の様に応答しないことが分かるであろう。
【００４２】
ユーザの移動体により規則的に送出される個人的放送データパケット６０は、図３により示されるような、下記の（全部網羅はしていない）リストのフィールドを含むことができる：
Ｈ　　　＝ヘッダ
ＰＤ　　＝プロトコル弁別子（又は個人的放送のオーラ）
ＰＬＭ　＝パケット長指示子
ＭＯＤ　＝パケット内容データの様式（アイコン式、テキスト的、音楽の、音声の）
ＰＮＯ　＝場所において複数のユーザの間を区別するための擬似乱数
ＡＬ　　＝オプションとしてのユーザの別名
ＭＥＴ　＝採用された装置制御言語を記述する、又は合意されたコンテンツ若しくは好みの分類法（例えば、ＸＭＬの使用）を参照するメタデータ
ＣＴ　　＝コーデック型式
ＳＥＭ　＝開始／終了／中間／全パケット
ＰＡＣ　＝パケット番号
ＤＡＴＡ＝本体
ＣＤＣ　＝符号化された装置制御、コンテンツ又はサービスデータ
【００４３】
本発明の拡張版においては、所定の場所内における何れの放送データも、ローカルなブルートゥースユニットにより受信されて、１つの移動体からの個人的放送の範囲より大きな領域をカバーするように他の放送ユニットに中継することができる。この構成も、依然として、ユーザが全て中央のサービスに登録するようなシステムに対してプライバシを維持する。
【００４４】
前記環境及びネットワーク化装置は、ローカルな移動体の存在又はそれらの放送された好みの現在のリストの変化のみに応答するように設定することもできる。ローカルな環境の構成は、デフォルトにより、最後に検出された個人的放送の好みに対応するままにしておくこともできる。
【００４５】
他の拡張は、固定の“場所識別”ビーコンを使用して、特定の場所内の個人放送移動体ユーザから或る部分集合又はファセットのユーザデータの放送を起動するようなことを含むことができる。例えば、ディスコ内のビーコンは、その範囲内の全ての移動体からの個人的データのうちの“音楽の好み”についての個人的放送を起動するように設定することができる。この場合、ジュークボックスコントローラは、全ての好みを突き合わせて、ユーザの大多数が楽しめるであろう様な音楽を自動的に選択する。仕事の設定においては、環境が固定のビーコンを含むことができ、該ビーコンは信号を発して、ユーザの移動体に個人的データのうちの“仕事用資源の要件”部分を放送させる。この場合、ネットワーク化された環境は、これらのユーザに対してユーザの好みの資源への容易なアクセスを可能にするように事前に構成することができ、複写機を待機モードから使用準備完了状態にする等々のようにする。
【００４６】
環境及び装置を一層使用し易くさせるために、非常に広い範囲の可能性のあるアプリケーションを形成することができる。これらのアプリケーションは高度のセキュリティは必要としない。しかしながら、ユーザの数、完全なネットワーク接続を確立するための利用可能な時間、又はプライバシを尊重する必要性は、完全なｒ．ｆ．ネットワーク接続を禁止するかもしれない。可能性のある見通しを解説するために、幾つかの追加の例を示す：
・ＴＶのセットトップボックスが、どの特定の家族の人が同一の部屋内にいるかを自動的に感知し、これらの人が音声命令を使用することができるように、訓練された音声認識パラメータを事前にロードし、これら在室者に対して好きなチャンネルに自動的に切り換えるか、又は個人用にフィルタされたＥＰＧ表示を自動的に表示する。聴くのが困難な誰かがいる場合は、字幕が自動的にオンされるか、又は弱い視力の視聴者用に、表示されるテキストのフォントサイズを増大させることができる。
・複写機又は共有のオフィス装置は、近くにいる人の好みに事前に編成することができる。
・バックグラウンドミュージックを、居る人の音楽の好みに適応させて自動的に共有することができる。
・現在のユーザにマッチしたＳＴＢシステム上の合成プレゼンタ用に、適当な人物を選択する。
・トークンの明示的な使用又は装置の操作なしで、音楽が部屋から部屋へとユーザに追従する。
・移動体電話をもつ人が近くにいる場合に、注意を惹くために対話型看板が自動的に作動するか又は話しかける。これら看板は、個人の放送される個人的興味のプロフィールにも応答することができるが、これら個人のアイデンティティは収集しない。
・ＰＣ又は情報キオスク等の共有情報システムへのユーザの接近に際して、個人的な画面配置及びウェブ検索の好みが自動的に設定される。
・部屋に入る各自に対して、エアコン及び照明の好みが自動的に設定される。電力節約対策も可能である。装置、暖房及び照明等を、誰も部屋内にいない場合に待機モードにすることができる（ｉ．ｒ．検出器によってもなされているように）。
・都市計画の目的で、固定点で感知される異なる個人の放送の数をカウントすることにより、町を経ての人気のある経路が検出される。
・近くのユーザの訓練プログラムに対応するように、体育訓練装置が自動的に設定される。
・車内送受信器が、運転者の移動体からの該運転者の別名についての自動的個人的放送を起動し（同乗者からの放送に対してチェックするために）、ラジオのチャンネルの好みを設定する。運転者の座席の設定も調整される。
・空港ラウンジ内の表示及びアナウンスが、旅行スケジュールを放送している待合い人に関係するフライトの情報を強調する。
・部屋内での会話が、別名及び時間キーが付されたパスワードについて放送される話し手のデータにより自動的にタグ付けされて、記録される。これらの会話は、同一の人によってのみではあるが、後に再生することができる。
・ディスコが、入場者の大多数に対して最も人気のあるセレクションを自動的に演奏する。
【００４７】
装置のｉｄの開示を伴って又は伴わずに、一方向の放送をエミュレートすることが可能な他の短距離ネットワーク化技術も存在する。認識されるように、本発明は、ｉｒＤＡ、家庭用ＲＦライト（Ｌｉｔｅ）ＺｉｇＢｅｅ、ＰＵＲＬ（ユニバーサル無線リンク用プロトコル）を介して、又は単純な固定周波数放送を行うことが可能な特注のｒ．ｆ．装置を用いてさえも実現することができる。
【００４８】
本開示を精読することにより、当業者にとっては他の変形例が明らかとなるであろう。斯かる変形例は、固定及び携帯型通信システム、並びに斯かるシステムに組み込まれるシステム及び構成部品の設計、製造及び使用において既知であり、且つ、ここで既述した特徴の代わりに又は斯かる特徴に加えて使用することができるような他の特徴を含むことができる。
【図面の簡単な説明】
【図１Ａ】
図１Ａは、本発明を実施化する固定及び携帯装置のシステムのブロック図であり、固定装置と携帯装置とが遠く離れている場合を示す。
【図１Ｂ】
図１Ｂは、本発明を実施化する固定及び携帯装置のシステムのブロック図であり、携帯装置が固定装置の受信範囲内にある場合を示す。
【図２】
図２は、図１のシステムの一実施例におけるデータの流れの概念図である。
【図３】
図３は、図１のシステムから送信されたデータパケットの内容を示す。
【国際公開パンフレット】
2004514323.tif 000003
2004514323.tif 000004
2004514323.tif 000005
2004514323.tif 000006
2004514323.tif 000007
2004514323.tif 000008
2004514323.tif 000009
2004514323.tif 000010
2004514323.tif 000011
2004514323.tif 000012
2004514323.tif 000013
2004514323.tif 000014
2004514323.tif 000015
2004514323.tif 000016
2004514323.tif 000017
2004514323.tif 000018
2004514323.tif 000019
2004514323.tif 000020
2004514323.tif 000021
2004514323.tif 000022
2004514323.tif 000023
2004514323.tif 000024
【国際調査報告】
2004514323.tif 000025
2004514323.tif 000026
2004514323.tif 000027